(57)【要約】【課題】  受信した無線信号から好適にノイズ成分を取り除く。【解決手段】  無線通信端末１は、第１の無線信号を受信する第１のアンテナ１０と、無線信号をデジタル信号へ復調する復調部６２と、デジタル信号に基づく処理を実行するプロセッサ７０と、プロセッサを外部から電磁的に遮断するシールド部９０と、シールド部の内部に設けられる第２のアンテナ１１０と、第１の無線信号から、第２のアンテナにより受信された第２の無線信号に基づく所定の信号成分を除去するノイズキャンセル部５０とを備える。【選択図】図１
2013098767.tif 000002
【特許請求の範囲】
【請求項１】
第１の無線信号を受信する第１のアンテナと、
前記無線信号をデジタル信号へ復調する復調部と、
前記デジタル信号に基づく処理を実行するプロセッサと、
前記プロセッサを外部から電磁的に遮断するシールド部と、
前記シールド部の内部に設けられる第２のアンテナと、
前記第１の無線信号から、前記第２のアンテナにより受信された第２の無線信号に基づく所定の信号成分を除去するノイズキャンセル部と
を備えることを特徴とする無線通信端末。
【請求項２】
前記第１の無線信号の信号品質を監視する信号品質監視部と、
所定の調整値に基づいて、前記第２の無線信号の振幅及び位相の少なくとも一方を調整する調整部と
を更に備え、
前記プロセッサは、前記第１の無線信号の信号品質に応じて、前記所定の調整値を設定し、
前記ノイズキャンセル部は、前記調整部によって振幅及び位相の少なくとも一方が調整された前記第２の無線信号を前記第１の無線信号に合成することで、前記第１の無線信号から前記所定の信号成分を除去することを特徴とする請求項１に記載の無線通信端末。
【請求項３】
選択されたチャネルに応じたコンテンツデータを前記第１の無線信号から生成するチューナと、
前記プロセッサにより設定される前記調整値を格納するメモリと
を更に備え、
前記プロセッサは、(i)前記第１の無線信号の信号品質が所定の値となる場合に、対応する前記調整値を前記メモリに格納した後に、前記調整値の設定動作を停止し、(ii)前記チューナにおいて、前記選択されたチャネルに変化が生じた場合に、前記調整値の設定動作を再開することを特徴とする請求項２に記載の無線通信端末。
【請求項４】
(i)前記プロセッサに所定の第１電力量で電力を供給し、(ii)前記第１の無線信号の信号品質が前記所定の値となる場合に、対応する前記調整値を前記プロセッサが前記メモリに格納した後に、前記プロセッサに対して供給する電力量を前記第１電力量より相対的に低い第２電力量に変更し、(iii)前記チューナにおいて、前記選択されたチャネルに変化が生じた場合に、前記プロセッサに対して供給する電力量を前記第１電力量に変更する電源制御部を更に備えることを特徴とする請求項３に記載の無線通信端末。
【請求項５】
第１のアンテナにより受信された第１の無線信号をデジタル信号へ復調する復調部と、
前記デジタル信号に基づく処理を実行するプロセッサと、
前記プロセッサを外部から電磁的に遮断するシールド部と、
前記シールド部の内部に設けられる第２のアンテナと、
前記第１の無線信号から、前記第２のアンテナにより受信された第２の無線信号に基づく所定の信号成分を除去するノイズキャンセル部と
を備えることを特徴とする信号処理回路。
【発明の詳細な説明】
【技術分野】
【０００１】
本発明は、無線信号を受信する無線通信端末、及び該無線通信端末等に搭載される信号処理回路の技術分野に関する。
【背景技術】
【０００２】
この種の無線通信端末として、携帯電話や携帯情報端末等が知られている。近年、この種の無線通信端末については、多機能化が求められていると共に、携帯が容易となるよう軽量化及び小型化に対する要望もある。
【０００３】
無線通信端末の軽量化及び小型化は、追求していくに従って無線通信端末内における部品の実装密度は高くなるため、無線通信端末内部の部品配置の自由度の低下とのトレードオフの関係にある。また、需要者からの無線通信端末のデザイン面に対する要望から、部品配置の自由度については更に制限を受ける場合がある。
【０００４】
このように部品配置が制限されることにより、無線通信端末内において、通信用のアンテナとノイズを発生する部品や回路等との間に実装上の間隔を確保することが困難となり、アンテナがノイズの干渉を受け易くなるという技術的な問題が生じる。このとき、ノイズを生じる部位については、例えば電磁的なシールドを施すことでノイズの干渉を抑制する処置が採られている。しかしながら、部品配置の状態によっては、ノイズの干渉を完全に排除しきれない場合もあり、通信に影響をきたす可能性がある。従って、携帯用の無線通信端末の開発の場では、このようなノイズの干渉の抑制又は低減が一つの技術的な課題とされてきた。
【０００５】
例えば、後述の先行技術文献には、通信用のアンテナとは別に、補助用のアンテナを備え、補助用のアンテナで受信したノイズ要素の位相と振幅とを調整した上で通信用のアンテナで受信した無線信号に合成し、ノイズ要素を排除する構成が説明されている。
【先行技術文献】
【特許文献】
【０００６】
【特許文献１】特開平１１−２７１６０号公報
【発明の概要】
【発明が解決しようとする課題】
【０００７】
上述したように、単に電磁的なシールドを施したとしても無線通信端末内部でのノイズの干渉を完全に排除することが出来ない。このことは、所望の受信信号にノイズが干渉することで、無線通信端末の受信性能が劣化することに繋がる。また、ノイズの干渉量が性能に対して支配的となる場合には、信号品質及び性能向上の妨げとなる可能性がある。
【０００８】
上述した先行技術文献では、無線信号を受信せずにノイズ要素のみを受信させる目的で、補助用のアンテナの実装位置を無線通信端末の内部奥側に設定している。しかしながら、このような構成では、補助用のアンテナが無線信号を受信することを完全に避けることは出来ない。このため、通信用のアンテナが受信した無線信号に、補助用のアンテナにおいて受信された無線信号が合成されることとなる。このため、却って通信用のアンテナが受信した無線信号から得られる受信信号の品質を劣化させる要因となるとの技術的な問題がある。また、補助用のアンテナは、無線通信端末内で生じる電気的なノイズを広く無差別に受信してしまうことから、通信用のアンテナにおいて受信した無線信号に干渉していないノイズ成分も合成の対象となり、却って受信信号のノイズの干渉を増大させる要因となり得る。
【０００９】
本発明は、上述した技術的な問題点に鑑みてなされたものであり、受信信号に対して、不要なノイズの干渉の増大を生じさせることなく、好適ノイズ成分を排除可能な無線通信端末及び信号処理回路を提供することを課題とする。
【課題を解決するための手段】
【００１０】
上記課題を解決するために、開示の無線通信端末は、第１のアンテナと、復調部と、プロセッサと、シールド部と、第２のアンテナと、ノイズキャンセル部とを備える。第１のアンテナは、第１の無線信号を受信する。復調部は、無線信号をデジタル信号へ復調する。プロセッサは、デジタル信号に基づく処理を行う。シールド部は、プロセッサを外部から電磁的に遮断する。第２のアンテナは、シールド部の内部に設けられる。ノイズキャンセル部は、第１の無線信号から、第２のアンテナにより受信された第２の無線信号に基づく所定の信号成分を除去する。
【００１１】
また、開示の信号処理回路は、第１の無線信号を受信する無線通信端末に備えられ、内部と外部とを電磁的に遮断するシールド部の内部に設けられる信号処理部及びアンテナと、ノイズキャンセル部とを備える。本発明の信号処理回路の各部は、無線通信端末の内部において、上述した本発明の無線通信端末の各部と同様の動作を実施する。
【発明の効果】
【００１２】
開示の無線通信端末によれば、受信した無線信号（例えば、上述した第１の無線信号）から好適にノイズ成分を取り除くことが出来る。このため、受信信号の品質の向上が見込める。
【図面の簡単な説明】
【００１３】
【図１】携帯端末の構成例を示すブロック図である。
【図２】シールド部の構成例を示す斜視図である。
【図３】メモリの構成例を示すブロック図である。
【図４】ノイズキャンセル制御部の動作の流れを示すフローチャートである。
【図５】ノイズキャンセル制御部の振幅処理動作の流れを示すフローチャートである。
【図６】ノイズキャンセル制御部の位相処理動作の流れを示すフローチャートである。
【図７】無線通信端末の変形例を示すブロック図である。
【図８】無線通信端末の変形例を示すブロック図である。
【図９】無線通信端末の変形例を示すブロック図である。
【発明を実施するための形態】
【００１４】
以下に、発明を実施するための実施形態について説明する。
【００１５】
（１）構成例
図を参照して、開示の無線通信端末の実施形態の構成例について説明する。図１は、開示の無線通信端末の一例であって、データ放送受信及び表示機能を有する携帯端末１の構成例について示すブロック図である。
【００１６】
図１に示されるように、携帯端末１は、ワンセグ用アンテナ１０、整合部２０、フィルタ３０、増幅部４０、ノイズキャンセル部５０、チューナ６１及び復調回路６２を含むモデム（ＭＯＤＥＭ）６０、信号処理部７１及びノイズキャンセル制御部７２を含むＭＰＵ（Micro Processing Unit）７０、メモリ８０、シールド部９０、表示部１０１、補助用アンテナ１１０、振幅調整部１２０及び位相調整部１３０を備える。
【００１７】
携帯端末１では、データ放送等のコンテンツデータ（いわゆる、ワンセグ放送のコンテンツデータ）を伝送する無線信号をワンセグ用アンテナ１０で受信する。受信した無線信号（以下、受信信号と記載して説明する）は、整合部２０及びフィルタ３０により信号整合され、所定の帯域の成分が抽出される。また、抽出された受信信号の成分は、増幅部４０において増幅され、ノイズキャンセル部５０に入力される。
【００１８】
ノイズキャンセル部５０は、入力された受信信号に対し、位相調整部１３０から入力される所定の信号成分を合成することで、受信信号に付加されているノイズ成分を除去する信号合成（言い換えれば、加算）器である。
【００１９】
ノイズ成分が除去された受信信号は、モデム６０に入力される。モデム６０内では、チューナ６１によって、ユーザの操作等に応じて所望のデータ放送コンテンツ（例えば、データ放送のチャネル等）を再生表示するための同調処理が施される。また、モデム６０内では、復調回路６２によって、受信信号に対するデジタル信号への復調処理が施される。また、復調回路６２は、受信信号の信号品質の監視を行う。例えば、復調回路６２は、ＢＥＲ（Bit Error Rate：ビット誤り率）を測定することで受信信号の信号品質の推定を行う。
【００２０】
復調回路６２において復調されたデジタル信号は、ＭＰＵ７０に入力される。ＭＰＵ７０では、例えば当該ＭＰＵ７０内で実行されるプロセス（いわゆる、論理的な処理ブロック）によって実現される信号処理部７１によって、復調回路６２において復調されたデジタル信号が処理される。その結果、デジタル信号は、画像又は映像等として出力可能なデータ形式に変換される。この画像又は映像は、表示部１０１によって実際に表示される。このような表示部１０１は、例えば液晶ディスプレイ等のディスプレイ装置である。
【００２１】
本実施形態では、ＭＰＵ７０は、内部と外部とを電気的に遮断するシールド部９０の内部に設けられる。このため、ＭＰＵ７０は、例えば、外部からの信号（例えば、ワンセグ用アンテナ１０が受信する無線信号等）から隔絶された状態にある。また、シールド部９０のために、ＭＰＵ７０の動作によって生じるノイズ成分が遮断又は緩和され、ワンセグ用アンテナ１０により受信されるノイズ成分は、シールド部９０が存在しない場合と比較して緩和される状態にある。
【００２２】
更に、シールド部９０の内部には、メモリ８０と補助用アンテナ１１０が設けられている。尚、メモリ８０及び補助用アンテナ１１０については、後に順に説明する。
【００２３】
このようなシールド部９０の一例を図２に示す。図２は、シールド部９０の構成例を示す斜視図である。
【００２４】
図２（ａ）に示すように、ＭＰＵ７０とメモリ８０と補助用アンテナ１１０は、互いに隣接するように（或いは、互いに集積するように）プリント基板上に配置されている。一方で、整合部２０（但し、ワンセグ用アンテナ１０との接続部を含む）やフィルタ３０や増幅部４０やモデム６０や後述する振幅調整部１２０や後述する位相調整部１３０（或いは、ノイズキャンセル部５０等のその他の処理部）等は、互いに隣接するように（或いは、互いに集積するように）且つＭＰＵ７０、メモリ８０及び補助用アンテナ１１０とは物理的に離れた位置に配置されるように、プリント基板上に配置されている。このようなプリント基板上において、ＭＰＵ７０とメモリ８０と補助用アンテナ１１０は、例えば、板金等が一例となるシールド部９０によって覆われている。但し、板金に限らず、周囲（言い換えれば、外部）からのノイズ成分を遮断する又は緩和することができるものであれば、シールド部９０として用いることができる。
【００２５】
再び図１において、補助用アンテナ１１０は、シールド部９０内に設けられるアンテナである。補助用アンテナ１１０は、シールド部９０の外部に対し電気的に遮断されているため、例えば、外部からの信号（例えば、ワンセグ用アンテナ１０が受信する無線信号等）については受信しない。その一方で、補助用アンテナ１１０は、携帯端末１が備える一部の回路（具体的には、シールド部９０内部に配置される回路であって、例えば、ＭＰＵ８０等）の動作によって生じるノイズ成分を受信する。補助用アンテナ１１０は、振幅調整部１２０に対して信号入力可能な態様で接続されており、受信したノイズ成分を示す信号（以下、ノイズキャンセル信号と記載して説明する）を振幅調整部１２０に入力する。
【００２６】
振幅調整部１２０は、ノイズキャンセル制御部７２からの制御信号（例えば、振幅調整値）に応じて、補助用アンテナ１１０から入力されるノイズキャンセル信号の振幅を調整する。振幅調整部１２０は、振幅を適宜調整したノイズキャンセル信号を、位相調整部１３０に入力する。
【００２７】
位相調整部１３０は、ノイズキャンセル制御部７２からの制御信号（例えば、位相調整値）に応じて、位相調整部１２０から入力されるノイズキャンセル信号の位相を調整する。位相調整部１３０は、位相を適宜調整したノイズキャンセル信号を、ノイズキャンセル部５０に入力する。
【００２８】
ノイズキャンセル制御部７２は、ＭＰＵ７０内で実行されるプロセス（いわゆる、論理的な処理ブロック）によって実現される制御部である。ノイズキャンセル制御部７２は、復調回路６２において監視される受信信号の信号品質の状態に応じて、振幅調整部１２０及び位相調整部１３０の動作を制御する。具体的には、ノイズキャンセル制御部７２は、復調回路６２において監視される受信信号の信号品質の状態が所望の状態となるよう、振幅調整部１２０に対して、ノイズキャンセル信号の振幅を調整するための目標値（つまり、振幅調整値）を設定する。その後、ノイズキャンセル制御部７２は、設定した振幅調整値を振幅調整部１２０に入力することで、受信信号に含まれるノイズ成分を除去するフィードバック処理を行う。更に、ノイズキャンセル制御部７２は、復調回路６２において監視される受信信号の信号品質の状態が所望の状態となるよう、位相調整部１３０に対して、ノイズキャンセル信号の位相を調整するための目標値（つまり、位相調整値）を設定する。その後、ノイズキャンセル制御部７２は、設定した位相調整値を位相調整部１３０に入力することで、受信信号に含まれるノイズ成分を除去するフィードバック処理を行う。
【００２９】
ノイズキャンセル制御部７２が設定した振幅調整値及び位相調整値は、例えばメモリ８０に格納される。以下、図３を参照して、メモリ８０の構成例を説明する。図３は、メモリ８０の構成例を示すブロック図である。
【００３０】
図３に示すように、メモリ８０は、第１レジスタ１４２、第２レジスタ１４３、初期値メモリ１４４、判定値メモリ１４５、振幅調整値レジスタ１４６及び位相調整値レジスタ１４７を備える。
【００３１】
第１のレジスタ１４２及び第２のレジスタ１４３は、例えばＢＥＲ等の受信信号の信号品質に係るデータを格納する記憶装置である。第１のレジスタ１４２は、復調回路６２から入力される受信信号のＢＥＲを一時的に保持する。
【００３２】
初期値メモリ１４４は、予め設定されるノイズキャンセル信号の位相及び振幅の調整値の初期値を保持するメモリである。ノイズキャンセル制御部７２は、これまでの処理により収集されたデータに応じてノイズキャンセル信号の位相及び振幅の調整値の初期値を設定し、初期値メモリ１４４を適宜更新してもよい。また、ノイズキャンセル制御部７２は、初期値メモリ１４４に格納されるノイズキャンセル信号の位相及び振幅の調整値の初期値を適用した際の受信信号のＢＥＲを算出し、第２レジスタ１４３に格納する。
【００３３】
判定値メモリ１４５は、ノイズキャンセル信号の合成により受信信号からノイズ成分を取り除く際の目標となる受信品質を示す情報を格納するメモリである。例えば、データ放送により送信される画像又は映像を表示部１０１において正常に表示する際に要求されるＢＥＲを判定用のＢＥＲとして保持する。
【００３４】
振幅調整値レジスタ１４６及び位相調整値レジスタ１４７は、ノイズキャンセル制御部７２において設定される振幅調整値及び位相調整値の入力を受け、振幅調整部１２０及び位相調整部１３０の夫々に入力する。
【００３５】
携帯端末１のこのような構成及び動作によれば、補助用アンテナ１１０は、シールド部９０により受信信号の入力については遮断される一方で、携帯端末１が備える一部の回路（具体的には、シールド部９０内部に配置される回路であって、例えば、ＭＰＵ８０等）の動作によって生じるノイズ成分を受信する。このように受信されるノイズ成分の振幅及び位相を復調回路６２において監視される受信信号の信号品質に応じて調整することで生成されるノイズキャンセル信号が受信信号に合成することで、受信信号に含まれる携帯端末１内部の回路の動作に起因するノイズ成分を除去することが可能となる。ノイズキャンセル信号の振幅及び位相の調整を含む、携帯端末１の動作について、以下に説明する。
【００３６】
尚、携帯端末１は、更に、カメラ１０２、電源オーディオ１０３、携帯通信部１０４、ＢＴ（Bluetooth（登録商標））通信部１０５、携帯通信用アンテナ１０６、ＢＴ通信用アンテナ１０７を備えている。これらの構成は、既存の携帯端末と同様であってもよい。
【００３７】
（２）動作例
図４乃至図６を参照して、携帯端末１における受信信号からノイズ成分を取り除く際の動作の流れについて説明する。図４乃至図６は、携帯端末１の振幅調整部１２０、位相調整部１３０及びノイズキャンセル制御部７２による動作の流れを示すフローチャートである。
【００３８】
図３に示されるように、先ず、携帯端末１のノイズキャンセル制御部７２は、携帯端末１におけるデータ放送等のコンテンツの受信開始時に、初期値メモリ１４４に格納されるノイズキャンセル信号の振幅調整値及び位相調整値を振幅調整値レジスタ１４６及び位相調整値レジスタ１４７に格納する（ステップＳ１０１）。
【００３９】
振幅調整値レジスタ１４６は、格納された振幅調整値の初期値を振幅調整部１２０に入力する。振幅調整部１２０は、補助用アンテナ１１０から入力されるノイズキャンセル信号について、入力された振幅調整値の初期値に応じて振幅を調整した上で、位相調整部１３０に入力する。
【００４０】
位相調整値レジスタ１４７は、格納された位相調整値の初期値を位相調整部１３０に入力する。位相調整部１３０は、振幅調整部１２０から入力されるノイズキャンセル信号について、入力された位相調整値の初期値に応じて位相を調整した上で、ノイズキャンセル部５０に入力する。
【００４１】
ノイズキャンセル部５０は、受信信号に対し、入力されたノイズキャンセル信号を合成した上でモデム６０に入力する。このようにノイズキャンセル信号を合成された受信信号は、復調回路６２において信号品質を示すＢＥＲの測定が行われる。復調回路６２は、測定したＢＥＲをノイズキャンセル制御部７２に入力する。ノイズキャンセル制御部７２は、第１レジスタ１４２を介して又は復調回路６２から直接、受信信号のＢＥＲの入力を受け、該受信信号のＢＥＲを第２レジスタ１４３に格納する（ステップＳ１０２）。
【００４２】
続いて、ノイズキャンセル制御部７２は、前回実行された処理がノイズキャンセル信号に適用する振幅調整値を調整する処理であったか、位相調整値を調整する処理であったかの判定を行う（ステップＳ１０３）。
【００４３】
前回実行時の処理が位相調整値を調整する処理であった場合（ステップＳ１０３：Ｙｅｓ）、ノイズキャンセル制御部７２は、振幅調整値を調整する処理を実行する（ステップＳ１０４）。他方、前回実行時の処理が振幅調整値を調整する処理であった場合（ステップＳ１０３：Ｎｏ）、ノイズキャンセル制御部７２は、位相調整値を調整する処理を実行する（ステップＳ１０５）。この判定により、振幅調整値と位相調整値を交互に調整する処理のループが形成される。
【００４４】
ここで、図５を参照して、振幅調整値を調整する処理の流れについて説明する。図５は、振幅調整値を調整する処理の流れを示すフローチャートである。振幅調整値を調整する処理においては、復調回路６２において測定されるＢＥＲを基準として、データ放送コンテンツが適正に視聴可能となるよう、受信信号からノイズ成分を取り除くために用いられるノイズキャンセル信号の振幅調整値を調整する処理が行われる。
【００４５】
先ず、ノイズキャンセル制御部７２は、前回処理時の振幅調整値（例えば、初回の実行の際には、振幅調整値の初期値）に対して、所定の振幅値Ｘを加算した値を新しい振幅調整値として設定する（ステップＳ２０１）。そして、新しく設定した振幅設定値を適用することで、振幅調整値レジスタ１４６の値を更新する（ステップＳ２０２）。これにより、ノイズキャンセル信号の振幅が変更されるため、該ノイズキャンセル信号が加算される受信信号から取り除かれるノイズ成分に変化が生じる。結果、受信信号の信号品質にも変化が生じることとなる。復調回路６２は、このような受信信号のＢＥＲを測定し、第１レジスタ１４２に入力する。
【００４６】
ここで、ノイズキャンセル制御部７２は、第１レジスタ１４２に格納される受信信号のＢＥＲと、第２レジスタ１４３に格納される受信信号のＢＥＲとの比較を行う（ステップＳ２０３）。第１レジスタ１４２に格納されるＢＥＲは、ノイズキャンセル信号に対して、ステップＳ２０１で設定された振幅設定値（つまり、前回処理時の振幅設定値＋Ｘ）を適用した場合の受信信号のＢＥＲである。他方で、第２レジスタ１４３に格納されるＢＥＲは、前回処理時の振幅設定値（例えば、初回処理時であれば、振幅設定値の初期値）を適用した場合の受信信号のＢＥＲである。
【００４７】
第１レジスタ１４２に格納されるＢＥＲが第２レジスタ１４３に格納されるＢＥＲを下回る場合（ステップＳ２０３：Ｙｅｓ）、ノイズキャンセル制御部７２は、新しく設定された振幅調整値を適用した場合の受信信号の信号品質を示す第１レジスタ１４２に格納されるＢＥＲを第２レジスタ１４３に格納する（ステップＳ２０４）。
【００４８】
他方で、第１レジスタ１４２に格納されるＢＥＲが第２レジスタ１４３に格納されるＢＥＲ以上となる場合（ステップＳ２０３：Ｎｏ）、ノイズキャンセル制御部７２は、前回処理時の振幅調整値に対して、所定の振幅値Ｘ（或いは、異なる振幅値Ｘ’）を減算した値を新しい振幅調整値として設定する（ステップＳ２０５）。そして、新しく設定した振幅設定値を適用することで、振幅調整値レジスタ１４６の値を更新する（ステップＳ２０６）。これにより、ノイズキャンセル信号の振幅が変更されるため、該ノイズキャンセル信号が合成される受信信号から取り除かれるノイズ成分に変化が生じる。結果、受信信号の信号品質にも変化が生じることとなる。復調回路６２は、このような受信信号のＢＥＲを測定し、第１レジスタ１４２に入力する。ノイズキャンセル制御部７２は、新しく設定された振幅調整値を適用した場合の受信信号の信号品質を示す第１レジスタ１４２に格納されるＢＥＲを第２レジスタ１４３に格納する（ステップＳ２０４）。
【００４９】
第１レジスタ１４２には、新しく設定される振幅調整値を適用した際の受信信号のＢＥＲ、第２レジスタ１４３には、前回処理時に設定された振幅調整値を適用した際の受信信号のＢＥＲが夫々格納される。これらを比較することで、振幅調整値を所定の振幅値Ｘを加算した場合又は減算した場合に、受信信号の信号品質が向上するか又は劣化するかを判定することが出来る。従って、図５を参照して説明した振幅調整値の調整処理によれば、受信信号のＢＥＲを測定する復調回路６２からのフィードバックを受けつつ、ノイズキャンセル信号に対して適用される振幅調整値が所定の振幅値Ｘずつ加算又は減算されることで、調整される。
【００５０】
次に、図６を参照して、位相調整値を調整する処理の流れについて説明する。図６は、位相調整値を調整する処理の流れを示すフローチャートである。位相調整値を調整する処理においては、復調回路６２において測定されるＢＥＲを基準として、データ放送コンテンツが適正に視聴可能となるよう、受信信号からノイズ成分を取り除くために用いられるノイズキャンセル信号の位相調整値を調整する処理が行われる。
【００５１】
先ず、ノイズキャンセル制御部７２は、前回処理時の位相調整値（例えば、初回の実行の際には、位相調整値の初期値）に対して、所定の位相値Ｙを加算した値を新しい位相調整値として設定する（ステップＳ３０１）。そして、新しく設定した位相設定値を適用することで、位相調整値レジスタ１４７の値を更新する（ステップＳ３０２）。これにより、ノイズキャンセル信号の位相が変更されるため、該ノイズキャンセル信号が合成される受信信号から取り除かれるノイズ成分に変化が生じる。結果、受信信号の信号品質にも変化が生じることとなる。復調回路６２は、このような受信信号のＢＥＲを測定し、第１レジスタ１４２に入力する。
【００５２】
ここで、ノイズキャンセル制御部７２は、第１レジスタ１４２に格納される受信信号のＢＥＲと、第２レジスタ１４３に格納される受信信号のＢＥＲとの比較を行う（ステップＳ３０３）。第１レジスタ１４２に格納されるＢＥＲは、ノイズキャンセル信号に対して、ステップＳ３０１で設定された位相設定値（つまり、前回処理時の位相設定値＋Ｙ）を適用した場合の受信信号のＢＥＲである。他方で、第２レジスタ１４３に格納されるＢＥＲは、前回処理時の位相設定値（例えば、初回処理時であれば、位相設定値の初期値）を適用した場合の受信信号のＢＥＲである。
【００５３】
第１レジスタ１４２に格納されるＢＥＲが第２レジスタ１４３に格納されるＢＥＲを下回る場合（ステップＳ３０３：Ｙｅｓ）、ノイズキャンセル制御部７２は、新しく設定された位相調整値を適用した場合の受信信号の信号品質を示す第１レジスタ１４２に格納されるＢＥＲを第２レジスタ１４３に格納する（ステップＳ３０４）。
【００５４】
他方で、第１レジスタ１４２に格納されるＢＥＲが第２レジスタ１４３に格納されるＢＥＲ以上となる場合（ステップＳ３０３：Ｎｏ）、ノイズキャンセル制御部７２は、前回処理時の位相調整値に対して、所定の位相値Ｙを減算した値を新しい位相調整値として設定する（ステップＳ３０５）。そして、新しく設定した位相設定値を適用することで、位相調整値レジスタ１４７の値を更新する（ステップＳ３０６）。これにより、ノイズキャンセル信号の位相が変更されるため、該ノイズキャンセル信号が合成される受信信号から取り除かれるノイズ成分に変化が生じる。結果、受信信号の信号品質にも変化が生じることとなる。復調回路６２は、このような受信信号のＢＥＲを測定し、第１レジスタ１４２に入力する。ノイズキャンセル制御部７２は、新しく設定された位相調整値を適用した場合の受信信号の信号品質を示す第１レジスタ１４２に格納されるＢＥＲを第２レジスタ１４３に格納する（ステップＳ３０４）。
【００５５】
第１レジスタ１４２には、新しく設定される位相調整値を適用した際の受信信号のＢＥＲ、第２レジスタ１４３には、前回処理時に設定された位相調整値を適用した際の受信信号のＢＥＲが夫々格納される。これらを比較することで、位相調整値を所定の位相値Ｙを加算した場合又は減算した場合に、受信信号の信号品質が向上するか又は劣化するかを判定することが出来る。従って、図６を参照して説明した位相調整値の調整処理によれば、受信信号のＢＥＲを測定する復調回路６２からのフィードバックを受けつつ、ノイズキャンセル信号に対して適用される位相調整値が所定の位相値Ｙずつ加算又は減算されることで、調整される。
【００５６】
図４に戻って、処理の続きを説明する。振幅調整値の調整（ステップＳ１０４）及び位相調整値の調整（ステップＳ１０５）が終了した後に、ノイズキャンセル制御部７２は、第２レジスタ１４３に格納されるＢＥＲと、判定値メモリ１４５に格納される判定用ＢＥＲとの比較を行う（ステップＳ１０６）。
【００５７】
第２レジスタ１４３に格納される受信信号のＢＥＲが、受信信号により伝送されるコンテンツを適正に視聴するために要求される判定用ＢＥＲを下回る場合（ステップＳ１０６：Ｙｅｓ）、ノイズキャンセル制御部７２は、このときに設定されている振幅調整値及び位相調整値を夫々の最終調整値として、動作を終了する。
【００５８】
他方で、第２レジスタ１４３に格納される受信信号のＢＥＲが、判定用ＢＥＲ以上となる場合（ステップＳ１０６：Ｎｏ）、ノイズキャンセル制御部７２は、第２レジスタ１４３に格納される受信信号のＢＥＲが判定用ＢＥＲを下回るまで、振幅調整値及び位相調整値を繰り返し調整する（ステップＳ１０３乃至Ｓ１０５）。
【００５９】
以上、説明した動作によれば、補助用アンテナ１１０により受信されるノイズキャンセル信号は、該ノイズキャンセル信号が合成された受信信号の信号品質のフィードバックを受けつつ、受信信号が所望の信号品質を有するよう振幅及び位相が調整される。このとき、ノイズキャンセル信号の振幅及び位相は、好適には、受信信号に含まれるノイズ成分に対して逆位相同一振幅となるよう調整される。
【００６０】
本実施例におけるノイズキャンセル信号は、シールド部９０の内部において捉えられたノイズ成分を基とする信号であるため、受信信号に含まれる非ノイズ成分やその他のノイズ成分を含んでいない。このため、受信信号の信号品質を劣化させる等の影響を及ぼすことなく、ノイズ成分の除去が可能となる。このようなノイズキャンセル信号に対して、更に受信信号の信号品質に応じた振幅及び位相の調整を実施しているため、受信信号から、携帯端末１内部の回路の動作に起因するノイズ成分をより高精度に取り除くことが可能となる。
【００６１】
尚、上述した例では、受信信号の信号品質を示す指標の例として、ＢＥＲを用いている。しかしながら、この態様に限定されることなく、受信信号の信号品質を適宜監視しつつ、ノイズキャンセル信号の振幅及び位相の少なくとも一方を調整可能な何らかの要素であれば、受信信号の信号品質を示す指標として用いられてよい。
【００６２】
（３）第１変形例
図７を参照して、開示の無線通信端末の第１変形例とその動作について説明する。図７は、開示の無線通信端末の一例であって、データ放送受信及び表示機能を有する携帯端末１ａの構成例について示すブロック図である。
【００６３】
図７に示されるように、携帯端末１ａは、携帯端末１の構成に加えて、メモリ１５０を備える。図７は、メモリ１５０がシールド部９０の外部に配置される例を示しているが、メモリ１５０がシールド部９０の内部に配置されてもよい。尚、図７において、図１と同様の構成については、同一の番号を付して説明を省略している。
【００６４】
メモリ１５０は、ノイズキャンセル制御部７２からの制御信号を格納し、且つ格納した内容を振幅調整部１２０及び位相調整部１３０に対して入力可能なレジスタ等の情報記録装置である。
【００６５】
第１変形例では、ノイズキャンセル制御部７２は、復調回路６２に接続され、受信信号の信号品質の入力を受けると共に、チューナ７１に接続される。チューナ７１は、ユーザにより選択されるデータ放送コンテンツ（言い換えれば、データ放送のチャネル）が切り替わった際に、コンテンツに変更が生じたことをノイズキャンセル制御部７２に通知する。
【００６６】
ノイズキャンセル制御部７２は、復調回路６２から入力される受信信号の信号品質に基づいて、適宜ノイズキャンセル信号の振幅及び位相の調整値をメモリ１５０を介して振幅調整部１２０及び位相調整部１３０に入力する。復調回路６２から入力される受信信号の信号品質が予め設定される所望の品質に収束した場合、ノイズキャンセル制御部７２は、メモリ１５０に調整値を入力した後に、動作を自己停止する。
【００６７】
その後、ノイズキャンセル制御部７２は、ユーザにより選択されるデータ放送コンテンツに変更が生じた際に、チューナ６１からの通知を受けることをトリガとして動作を再開する。ノイズキャンセル制御部７２は、変更後の受信信号のチャネルに応じて、ノイズキャンセル信号の振幅及び位相を演算し、メモリ１５０に入力する。
【００６８】
受信信号の信号品質が所望の値に収束し、その際のノイズキャンセル信号の振幅及び位相の最終調整値が前記メモリ１５０に格納された後には、同様のノイズキャンセル信号を用い続けることで安定した信号品質の維持が可能となる。このとき、ノイズキャンセル制御部７２は、動作を停止したとしても適切なノイズ成分の除去が継続出来る。このことを利用して、第１変形例の携帯端末１ａでは、受信信号の信号品質が安定した後は、ノイズキャンセル信号の振幅及び位相の演算動作を停止する。このことは、携帯端末１ａ全体における消費電力の低減に繋がり、有益である。
【００６９】
また、コンテンツの受信チャネル等の変更により、受信信号の信号品質に大きな変化が生じることが予測される場合には、チューナ６１からの通知に応じて、ノイズキャンセル制御部７２は、ノイズキャンセル信号の振幅及び位相の演算動作を再開する。このため、このようなチャネルの変化に応じて、継続して受信信号からノイズ成分を取り除くことが出来る。
【００７０】
（４）第２変形例
図８を参照して、開示の無線通信端末の第２変形例とその動作について説明する。図８は、開示の無線通信端末の一例であって、データ放送受信及び表示機能を有する携帯端末１ｂの構成例について示すブロック図である。
【００７１】
図８に示されるように、携帯端末１ｂは、図６に示される携帯端末１ａの構成に加えて、電源制御部１６０を備える。また、携帯端末１ｂでは、電源制御部１６０は、チューナ６１に接続され、チューナ６１からのデータ放送コンテンツの切り替えの通知を受ける。図８は、電源制御１６０がシールド部９０の外部に配置される例を示しているが、電源制御部１６０がシールド部９０の内部に配置されてもよい。尚、図８において、図１又は図６と同様の構成については、同一の番号を付して説明を省略している。
【００７２】
電源制御部１６０は、携帯端末１ｂの不図示のバッテリからノイズキャンセル制御部７２への電力の供給の態様を制御する構成である。例えば、電源制御部１６０は、バッテリからのノイズキャンセル制御部７２への電力の供給の態様を、大別して２つの異なるモードの間で切り替える。第１のモードでは、電源制御部１６０は、ノイズキャンセル制御部７２における、演算動作や信号の入出力等、ノイズキャンセル信号に対する振幅調整値及び位相調整値のフィードバック調整を実施するために十分な電力の供給を行う。また、第２のモードでは、電源制御部１６０は、ノイズキャンセル制御部７２に対して、第１のモードに対して相対的に少ない電力を供給する、又は電力の供給を停止する。
【００７３】
電源制御部１６０は、復調回路６２から通知される受信信号の信号品質が所望の値に収束し、ノイズキャンセル制御部７２が振幅調整値及び位相調整値の調整後の最終値をメモリ１５０に格納した後に、ノイズキャンセル制御部７２に対する電力の供給の態様を第１のモードから第２のモードに切り替える。また、電源制御部１６０は、ノイズキャンセル制御部７２に対して第２のモードで電力の供給を行っている間に、チューナ６１からデータ放送コンテンツに変更が生じた旨の通知を受けた場合、該通知をトリガとしてノイズキャンセル制御部７２に対する電力の供給を第１のモードに切り替える。
【００７４】
このような動作によれば、第１変形例と同様に、受信信号の信号品質が所望の値に収束し、その際のノイズキャンセル信号の振幅及び位相の最終調整値が前記メモリ１５０に格納された後にノイズキャンセル制御部７２に対する電力の供給量を減少させることで、携帯端末１ｂ全体における消費電力の低減を実現出来る。
【００７５】
また、コンテンツの受信チャネル等の変更により、受信信号の信号品質に大きな変化が生じることが予測される場合には、電源制御部１６０は、チューナ６１からの通知に応じて、電力供給の態様を通常動作用の第１のモードに変更する。このため、ノイズキャンセル制御部７２は、コンテンツの受信チャネル等の変更に応じて、ノイズキャンセル信号の振幅及び位相の調整値を調整する動作を再開することが出来る。
【００７６】
（５）第３変形例
図９を参照して、開示の無線通信端末の第３変形例とその動作について説明する。図９は、開示の無線通信端末の一例であって、データ放送受信及び表示機能を有する携帯端末１ｃの構成例について示すブロック図である。
【００７７】
上述した携帯端末１は、ワンセグ用アンテナ１０で受信される無線信号（つまり、受信信号）に対してノイズキャンセル信号を合成することで、受信信号からノイズ成分を取り除いている。一方で、第３変形例の携帯端末１ｃは、携帯通信用アンテナ１０６で受信される無線信号（つまり、受信信号）に対してノイズキャンセル信号を合成することで、受信信号からノイズ成分を取り除いている。
【００７８】
このような第３変形例の携帯端末１ｃは、上述した携帯端末１と比較して、モデム６０が直交復調部１７０に置き換わっているという点で異なっている。尚、図９において、図１と同様の構成については、同一の番号を付して説明を省略している。但し、携帯通信用アンテナ１０６に接続される図９の整合部２０、フィルタ３０及び増幅部４０は、ワンセグ用アンテナ１０に接続される図１の整合部２０、フィルタ３０及び増幅部４０とは別の回路として用意されてもよいし共用されてもよい。その他の図１の携帯端末１が備える回路と同様の回路についても、別の回路として用意されてもよいし共用されてもよい。
【００７９】
直交復調部１７０は、受信信号をベースバンド信号に変換すると共に、当該ベースバンド信号をデジタル信号に変換した上で信号処理部７１及びノイズキャンセル制御部７２に入力する。信号処理部７１は、直交復調部１７０から入力されるデジタル信号に対して必要な信号処理を施すことで、当該デジタル信号が音声出力可能な態様やメール出力可能な態様やインターネット表示可能な態様等に変換される。
【００８０】
更に、直交復調部１７０は、上述した復調回路６２と同様に、受信信号の信号品質の監視を行う。その結果、ノイズキャンセル制御部７２は、上述した態様でノイズキャンセル信号の振幅及び位相を適宜調整する。
【００８１】
以上説明した第３変形例の携帯端末１ｃによれば、携帯通信用アンテナ１０６で受信される無線信号（つまり、受信信号）からノイズ成分を取り除くことができる。
【００８２】
本発明は、上述した実施例に限られるものではなく、請求の範囲及び明細書全体から読み取れる発明の要旨或いは思想に反しない範囲で適宜変更可能であり、そのような変更を伴う無線通信端末及び信号処理回路等もまた本発明の技術的範囲に含まれるものである。
【符号の説明】
【００８３】
１  無線通信端末、
１０  ワンセグ用アンテナ、
２０  整合部、
３０  フィルタ、
４０  増幅部、
５０  ノイズキャンセル部、
６１  チューナ、
６２  復調回路、
７０  ＭＰＵ
７１  信号処理部、
７２  ノイズキャンセル制御部
１１０  補助用アンテナ、
１２０  振幅調整部、
１３０  位相調整部。
【図１】
2013098767.tif 000003
【図２】
2013098767.tif 000004
【図３】
2013098767.tif 000005
【図４】
2013098767.tif 000006
【図５】
2013098767.tif 000007
【図６】
2013098767.tif 000008
【図７】
2013098767.tif 000009
【図８】
2013098767.tif 000010
【図９】
2013098767.tif 000011